(57)【要約】【課題】光学要素の傾きや傾き方向を容易に調節できるようにする。【解決手段】基準光軸Ｌを画定する筐体１０、光学要素Ｓを保持し筐体の接合部１３に取り付けられる保持部材２０、筐体側の基準光軸に対する光学要素の傾き及び傾き方向を調節しつつ保持部材を筐体の接合部に取り付ける取付機構を備え、取付機構は、３つのネジ３０、ネジの雄ネジ部を通すべく保持部材に形成された３つの貫通孔２１、ネジの雄ネジ部を捩じ込むべく筐体の接合部に形成された３つの雌ネジ穴１５、保持部材の貫通孔に通された複数のネジの雄ネジ部に外嵌されて保持部材と筐体の接合部の間に圧縮しつつ配置される３つの弾性を有する環状座金４０、環状座金を受けるべく保持部材及び筐体の接合部にそれぞれ形成された３対の平面状受け部１４，２２を含む。これによれば、光学要素の傾きや傾き方向を容易に調節できる。【選択図】図２
2014071172.tif 000002
【特許請求の範囲】
【請求項１】
基準光軸を画定する筐体と、光学要素を保持すると共に前記筐体の接合部に取り付けられる保持部材と、前記筐体側の基準光軸に対する前記光学要素の傾き及び傾き方向を調節しつつ前記保持部材を前記筐体の接合部に取り付ける取付機構と、を備えた光学要素の取付装置であって、
前記取付機構は、頭部及び雄ネジ部を有する複数のネジと、前記複数のネジの雄ネジ部を通すべく前記保持部材に形成された複数の貫通孔と、前記複数のネジの雄ネジ部を捩じ込むべく前記筐体の接合部に形成された複数の雌ネジ穴と、前記保持部材の貫通孔に通された前記複数のネジの雄ネジ部に外嵌されて前記保持部材と前記筐体の接合部の間に圧縮しつつ配置される複数の弾性を有する環状座金と、前記環状座金を受けるべく前記保持部材及び筐体の接合部にそれぞれ形成された複数の平面状受け部と、を含む、
ことを特徴とする光学要素の取付装置。
【請求項２】
前記複数の平面状受け部には、前記環状座金の中心孔に嵌め込まれると共に前記環状座金の厚さ以下の高さに突出する環状突起部が形成されている、
ことを特徴とする請求項１に記載の光学要素の取付装置。
【請求項３】
前記筐体の接合部は、前記平面状受け部の近傍に形成された少なくとも２つの位置決め突起を有し、
前記保持部材は、前記位置決め突起を嵌め込む少なくとも２つの位置決め孔を有する、
ことを特徴とする請求項１又は２に記載の光学要素の取付装置。
【発明の詳細な説明】
【技術分野】
【０００１】
本発明は、カメラ等に搭載されるＣＣＤ等の撮像素子やレンズを保持する鏡筒等の光学要素を基準光軸を画定する筐体に取り付ける際に、光学要素の取付角度やその傾斜方向等を調節できる光学要素の取付装置に関し、特に、筐体側の基準光軸に対して、撮像素子（撮像面）やレンズの光軸等の傾きや傾き方向を調整しつつ取り付けることのできる光学要素の取付装置に関する。
【背景技術】
【０００２】
従来の光学要素の取付装置としては、複数のレンズ系を有する筐体（レンズ鏡筒）、筐体（レンズ鏡筒）の後端面に取り付けられるべくＣＣＤ等の撮像素子を固定したＣＣＤベース等を備えた撮像装置において、筐体（レンズ鏡筒）の後端面に対して、３つのネジ穴、コイルスプリングの一端側を収容する２つの凹部を設け、ＣＣＤベースに対して、３つのネジを通す貫通孔を設け、ラバーシートを挟んだ状態で、かつ、２つのコイルスプリングを圧縮しつつ、ＣＣＤベースを筐体（レンズ鏡筒）の後端面に近づけて、３つのネジをＣＣＤベースの外側から貫通孔にそれぞれ通して筐体のネジ穴に捩じ込み、その捩じ込み量を適宜調節することにより、ＣＣＤの撮像面のレンズの光軸に対する傾き及び傾き方向を調節する（アオリ調整）ようにしたものが知られている（例えば、特許文献１参照）。
しかしながら、この取付装置においては、３つのネジのそれぞれの捩じ込み量を調節する際に、調節の基準位置になるものがないため調節に時間を要し、又、ネジとコイルスプリングとは離れた別々の位置にそれぞれ配置されるものであるため、その分だけ配置スペースを必要とし、又、ネジに対するコイルスプリングの付勢力が不安定であり、全体として組み付け作業及び調整作業を容易に行えるものではなかった。
【０００３】
また、他の取付装置としては、円形の開口部を画定する端面部を有する筐体（鏡筒）、筐体（鏡筒）内に配置されてレンズを保持するレンズ保持部材等を備えたレンズ鏡筒において、鏡筒の端面部に３つの調整ネジを通す３つの貫通孔を設けると共に１つの貫通孔の周りに半球面状の凹部を設け、レンズ保持部材に３つのネジを捩じ込む３つのネジ穴を設け、３つの調整ネジのうち１つの調整ネジの頭部を半球面状の凸状座部として形成し、３つの調整ネジを筐体（鏡筒）の外側から貫通孔にそれぞれ通し（１つの調整ネジの凸状座部を端面部の凹部に嵌め込み）、筐体（鏡筒）の内側から３つの調整ネジにそれぞれコイル状の圧縮バネを嵌め込みつつ、３つの調整ネジを筐体（鏡筒）の内部に配置されたレンズ保持部材の３つのネジ穴に捩じ込み、その捩じ込み量を適宜調節することにより、筐体（鏡筒）の中心軸線（基準光軸）に対してレンズ保持部材に保持されたレンズの光軸の傾きを調節するようにしたものが知られている（例えば、特許文献２参照）。
しかしながら、この取付装置においては、３つの調整ネジのそれぞれの捩じ込み量を調節する際に、調節の基準位置になるものがないため調節に時間を要し、全体として組み付け作業及び調整作業を容易に行えるものではなかった。
【先行技術文献】
【特許文献】
【０００４】
【特許文献１】特開２００３−１３４３８３号公報
【特許文献２】特開２００３−２１５４２０号公報
【発明の概要】
【発明が解決しようとする課題】
【０００５】
本発明は、上記の事情に鑑みて成されたものであり、その目的とするところは、構造の簡素化、小型化等を図りつつ、組み付けを容易に行うことができ、光学要素の傾きやその傾き方向を、光学要素と筐体とを均等に接触させ傾きを起こさずに容易に（短時間で）かつ高精度に調節することのできる光学要素の取付装置を提供することにある。
【課題を解決するための手段】
【０００６】
本発明の光学要素の取付装置は、基準光軸を画定する筐体と、光学要素を保持すると共に筐体の接合部に取り付けられる保持部材と、筐体側の基準光軸に対する光学要素の傾き及び傾き方向を調節しつつ保持部材を筐体の接合部に取り付ける取付機構と、を備えた光学要素の取付装置であって、上記取付機構は、頭部及び雄ネジ部を有する複数のネジと、複数のネジの雄ネジ部を通すべく保持部材に形成された複数の貫通孔と、複数のネジの雄ネジ部を捩じ込むべく筐体の接合部に形成された複数の雌ネジ穴と、保持部材の貫通孔に通された複数のネジの雄ネジ部に外嵌されて保持部材と筐体の接合部の間に圧縮しつつ配置される複数の弾性を有する環状座金と、環状座金を受けるべく保持部材及び筐体の接合部にそれぞれ形成された複数の平面状受け部とを含む、ことを特徴としている。
この構成によれば、保持部材の外側から複数のネジが貫通孔に通され、さらに貫通孔に通された複数のネジの雄ネジ部に内側から環状座金が外嵌され、環状座金を筐体（の接合部）の平面状受け部と保持部材の平面状受け部の間において圧縮しつつ挟み込むようにして、複数のネジ（の雄ネジ部）を筐体（の雌ネジ部）に捩じ込むことにより、保持部材が筐体に取り付けられる。
ここで、光学要素の調節に際しては、先ず、弾性を有する環状座金が保持部材の平面状受け部と筐体の平面状受け部とに挟持されて平坦になるまでネジを捩じ込み、ここで、環状座金が平坦に変形した状態を調節の基準位置とし、例えば光学要素が撮像素子の場合には、撮像素子による画像をモニター等で眺めながら何処に画像の片ボケ等があるかを確認し、最も効果のあるネジのみを適宜緩めて傾きを調節する（アオリ調整）ことにより、その片ボケを解消することができる。
このように、取付機構として、複数のネジ、複数の雌ネジ穴、弾性を有する環状座金、環状座金を挟み込む両側の平面状受け部を採用するため、構造の簡素化、小型化等を達成しつつ、組み付けを容易に行うことができ、基準光軸に対する光学要素の傾きやその傾き方向を光学要素と筐体とを均等に接触させ傾きを起こさずに容易に（短時間で）かつ高精度に調節することができる。
【０００７】
上記構成において、複数の平面状受け部には、環状座金の中心孔に嵌め込まれると共に環状座金の厚さ以下の高さに突出する環状突起部が形成されている、構成を採用することができる。
この構成によれば、環状座金を位置決めする環状突起部を有するため、環状座金の中心孔に環状突起部を嵌め込むことで、環状座金を容易に組み付けることができ、又、環状突起部の突出高さは環状座金の厚さ以下であるため、ネジを完全に締め込んだ状態で、両側の平面状受け部により環状座金を平坦に変形させて調節の際の基準位置を設定することができる。
【０００８】
上記構成において、筐体の接合部は、平面状受け部の近傍に形成された少なくとも２つの位置決め突起を有し、保持部材は、位置決め突起を嵌め込む少なくとも２つの位置決め孔を有する、構成を採用することができる。
この構成によれば、保持部材を筐体に組み付ける際に、筐体側の２つの位置決め突起を保持部材の２つの位置決め孔に嵌め込むことにより、保持部材（の光学要素）を筐体（の基準光軸）に対して、基準光軸Ｌに垂直な平面内で容易にかつ高精度に位置決めすることができる。
【発明の効果】
【０００９】
上記構成をなす光学要素の取付装置によれば、構造の簡素化、小型化等を達成しつつ、組み付けを容易に行うことができ、光学要素の傾きやその傾き方向を、光学要素と筐体とを均等に接触させ傾きを起こさずに容易に（短時間で）かつ高精度に調節することができる。
【図面の簡単な説明】
【００１０】
【図１】本発明に係る光学要素の取付装置を適用する撮像装置を示す断面図である。
【図２】図１に示す撮像装置において、光学要素としての撮像素子を保持した保持部材を筐体に取り付ける前の状態を示す部分分解斜視図である。
【図３】図１及び図２に示す取付装置を説明するものであり、（ａ）は取り付け前の状態を示す断面図であり、（ｂ）は取り付け後の基準位置の状態を示す断面図である。
【図４】本発明に係る取付装置の他の実施形態を示すものであり、光学要素としての撮像素子を保持した保持部材を筐体に取り付ける前の状態を示す部分分解斜視図である。
【図５】図４に示す取付装置を説明するものであり、（ａ）は取り付け前の状態を示す断面図であり、（ｂ）は取り付け後の基準位置の状態を示す断面図である。
【図６】本発明に係る光学要素の取付装置を適用したレンズ鏡筒を示す分解斜視図である。
【発明を実施するための形態】
【００１１】
以下、本発明の実施形態について、添付図面を参照しつつ説明する。
第１の実施形態に係る取付装置は、図１及び図２に示すように、撮像装置に適用されるものである。
ここで、撮像装置は、筐体１０、筐体１０内の基準光軸Ｌ方向に配列された複数のレンズ群（可動レンズ群Ｇ１、可動レンズ群Ｇ２、固定レンズ群Ｇ３）、基準光軸Ｌ上において筐体１０の後方側に形成された開口部１１、開口部１１の周りに配置されたラバーシート１２、筐体１０の後端に形成された接合部１３、光学要素としての撮像素子Ｓを保持すると共に接合部１３に取り付けられる保持部材２０、保持部材２０を筐体１０の接合部１３に取り付ける取付機構の一部としての複数（３つ）のネジ３０及び複数（３つ）の弾性を有する環状座金４０等を備えている。
【００１２】
筐体１０は、図２に示すように、接合部１３の領域において、環状座金４０を受けるべく形成された複数（３つ）の平面状受け部１４、平面状受け部１４の中央に形成された複数（３つ）の雌ネジ穴１５、２つの平面状受け部１４の近傍において基準光軸Ｌ方向に突出して形成された円柱状の２つの位置決め突起１６等を備えている。
平面状受け部１４は、図２に示すように、基準光軸Ｌ方向の後方側に突出する円柱状に形成されると共にその後端面が平面に形成され、又、環状座金４０が平坦になるまで圧縮させられる面積をなすように形成されている。
【００１３】
保持部材２０は、図２及び図３に示すように、略矩形の平板状に形成され、撮像素子Ｓを固定して保持すると共に、ネジ３０の雄ネジ部３２を通す複数（３つ）の円形状の貫通孔２１、貫通孔２１が形成された周囲の内側面において環状座金４０を受けるべく形成された複数（３つ）の平面状受け部２２、２つの貫通孔２１（平面状受け部１４）の近傍において位置決め突起１６を嵌め込むべく形成された円形状の２つの位置決め孔２３等を備えている。
【００１４】
複数（３つ）のネジ３０は、図２及び図３に示すように、スクリュードライバー等が連結され得る頭部３１、頭部３１よりも縮径して形成された雄ネジ部３２等を備えている。
頭部３１は、図３に示すように、保持部材２０の貫通孔２１よりも大きい外径をなすように形成されている。
雄ネジ部３２は、図３に示すように、保持部材２０の貫通孔２１を挿通し、かつ、環状座金４０の中心孔４１を挿通し、筐体１０の雌ネジ穴１５に螺合されるように形成されている。
【００１５】
環状座金４０は、図２及び図３に示すように、バネ鋼等の材料を用いて錐体状に一方側に反り返った状態に形成された皿バネ座金であり、それ自体が弾性を有し、中心孔４１、環状内縁部４２、環状外縁部４３等を備えている。
そして、環状座金４０の環状内縁部４２と環状外縁部４３が、筐体１０と保持部材２０とに均等に接触して傾きを起こさず、より安定した調節を行えるようになっている。
【００１６】
ここでは、頭部３１及び雄ネジ部３２を有する複数（３つ）のネジ３０、複数のネジ３０の雄ネジ部３２を通すべく保持部材２０に形成された複数（３つ）の貫通孔２１、複数のネジ３０の雄ネジ部３２を捩じ込むべく筐体１０の接合部１３に形成された複数（３つ）の雌ネジ穴１５、保持部材２０の貫通孔２１に通された複数（３つ）のネジ３０の雄ネジ部３２に外嵌されて保持部材２０と筐体１０の接合部１３の間に圧縮しつつ配置される複数（３つ）の環状座金４０、環状座金４０を受けるべく保持部材２０及び筐体１０の接合部１３にそれぞれ形成された複数（３つ）の平面状受け部２２及び平面状受け部１４により、筐体１０側の基準光軸Ｌに対する光学要素（撮像素子Ｓ）の傾き及び傾き方向を調節しつつ保持部材２０を筐体１０の接合部１３に取り付ける取付機構が構成されている。
【００１７】
次に、上記取付装置による取付け作業及び調節作業について説明する。
先ず、複数のレンズ群（可動レンズ群Ｇ１、可動レンズ群Ｇ２、固定レンズ群Ｇ３等）が組み付けられた筐体１０、撮像素子Ｓが固定された保持部材２０、３つのネジ３０、３つの環状座金４０が準備される。
【００１８】
続いて、３つのネジ３０を保持部材２０の外側（基準光軸Ｌの方向の後方側）から貫通孔２１に通し、保持部材２０の内側（基準光軸Ｌの方向の前方側）から貫通孔２１を通り抜けた雄ネジ部３２にそれぞれ環状座金４０を嵌め込む。
【００１９】
続いて、その状態で、保持部材２０を筐体１０の接合部１３に近づけ、２つの位置決め突起１６を対応する２つの位置決め孔２３に嵌め込みつつ、３つのネジ３０（の雄ネジ部３２）を筐体１０（の雌ネジ穴１５）に捩じ込んでいく。
尚、図３（ａ）に示すように、筐体１０の平面状受け部１４に対して、環状座金４０を予め配置し、その上方側から、保持部材２０に通したネジ３０を近づけ、雌ネジ穴１５に捩じ込むようにしてもよい。
【００２０】
３つのネジ３０を完全に捩じ込むと、図３（ｂ）に示すように、３つの環状座金４０が両側の平面状受け部１４，２２により挟み込まれて完全に平坦に押し潰され（圧縮変形させられ）る。この状態が、調節の際の基準位置とされる。
【００２１】
続いて、撮像素子Ｓにより撮像される画像等をモニターにより、何処に片ボケ等を生じているかを確認する。
そして、最も効果的に調節できると思われるネジ３０を適宜緩めることにより、基準光軸Ｌに対する撮像素子Ｓの取付角度（傾き）及び傾き方向が調節され、片ボケ状態を無くすことができる。
【００２２】
このように、３つのネジ３０を完全に締め込んで環状座金４０が平坦になった状態を基準位置として、効果的なネジ３０のみを調節する必要最小限の調節作業（アオリ調整）だけで、片ボケ現象を解消できるため、従来のような調節の際の基準位置がない場合に比べて、調節作業を容易に（短時間で）かつ高精度に行うことができると共に組み付け作業を容易に行うことができる。
また、保持部材２０を筐体１０に組み付ける際に、筐体１０側の２つの位置決め突起１６を保持部材２０の２つの位置決め孔２３に嵌め込むことにより、保持部材２０（の光学要素）を筐体１０（の基準光軸Ｌ）に対して、基準光軸Ｌに垂直な平面内で容易にかつ高精度に位置決めすることができる。
【００２３】
上記の取付装置によれば、構造の簡素化、小型化等を達成しつつ、組み付けを容易に行うことができ、光学要素（撮像素子Ｓ）の傾きやその傾き方向を、容易に（短時間で）かつ高精度に調節することができる。
【００２４】
図４及び図５は、本発明に係る光学要素の取付装置の第２の実施形態を示すものであり、前述の実施形態と同一の構成については同一の符号を付して説明を省略する。
この実施形態においては、図４及び図５に示すように、筐体１０は、接合部１３の領域において、環状座金４０を受けるべく形成された複数（３つ）の平面状受け部１４、平面状受け部１４の中央に形成された複数（３つ）の雌ネジ穴１５、２つの平面状受け部１４の近傍において基準光軸Ｌ方向に突出して形成された円柱状の２つの位置決め突起１６、複数（３つ）の平面状受け部１４の中央領域に形成された複数（３つ）の環状突起部１７等を備えている。
【００２５】
環状突起部１７は、図５に示すように、環状座金４０の中心孔４１に嵌め込まれると共に環状座金４０の厚さ以下の高さ（ここでは、厚さと同一の高さ）に突出するように形成されている。
環状突起部１７は、環状座金４０を位置決めするものであり、環状座金４０を上方から落としこんで、その中心孔４１に環状突起部１７を嵌め込むことで、環状座金４０を容易に組み付けることができ、又、環状突起部１７の突出高さは環状座金４０の厚さ以下であるため、ネジ３０を完全に締め込んだ状態で、両側の平面状受け部１４，２２により環状座金４０を平坦に変形させて調節の際の基準位置を設定することができる。
【００２６】
保持部材２０は、図４に示すように、略矩形の平板状に形成され、撮像素子Ｓを固定して保持すると共に、複数（３つ）の円形状の貫通孔２１、複数（３つ）の平面状受け部２２、２つの貫通孔２１（平面状受け部１４）の近傍において位置決め突起１６を嵌め込むべく形成された円形状の位置決め孔２３及び長孔状の位置決め孔２３´等を備えている。
【００２７】
ここでは、頭部３１及び雄ネジ部３２を有する複数（３つ）のネジ３０、複数のネジ３０の雄ネジ部３２を通すべく保持部材２０に形成された複数（３つ）の貫通孔２１、複数のネジ３０の雄ネジ部３２を捩じ込むべく筐体１０の接合部１３に形成された複数（３つ）の雌ネジ穴１５、保持部材２０の貫通孔２１に通された複数（３つ）のネジ３０の雄ネジ部３２に外嵌されて保持部材２０と筐体１０の接合部１３の間に圧縮しつつ配置される複数（３つ）の環状座金４０、環状座金４０を受けるべく保持部材２０及び筐体１０の接合部１３にそれぞれ形成された複数（３つ）の平面状受け部２２及び平面状受け部１４、複数（３つ）の平面状受け部１４から突出して形成された複数（３つ）の環状突起１７により、筐体１０側の基準光軸Ｌに対する光学要素（撮像素子Ｓ）の傾き及び傾き方向を調節しつつ保持部材２０を筐体１０の接合部１３に取り付ける取付機構が構成されている。
【００２８】
次に、上記取付装置による取付け作業及び調節作業について説明する。
先ず、複数のレンズ群（可動レンズ群Ｇ１、可動レンズ群Ｇ２、固定レンズ群Ｇ３等）が組み付けられた筐体１０、撮像素子Ｓが固定された保持部材２０、３つのネジ３０、３つの環状座金４０が準備される。
【００２９】
続いて、図５（ａ）に示すように、３つの環状座金４０を、筐体１０の接合部１３に形成された環状突起部１７に落とし込むようにして嵌め込み、３つのネジ３０を保持部材２０の外側（基準光軸Ｌの方向の後方側）から貫通孔２１に通して、保持部材２０を筐体１０の接合部１３に近づけ、２つの位置決め突起１６を対応する２つの位置決め孔２３，２３´に嵌め込みつつ、３つのネジ３０（の雄ネジ部３２）を筐体１０（の雌ネジ穴１５）に捩じ込んでいく。
【００３０】
３つのネジ３０を完全に捩じ込むと、図５（ｂ）に示すように、３つの環状座金４０が両側の平面状受け部１４，２２により挟み込まれて完全に平坦に押し潰され（圧縮変形させられ）る。この状態が、調節の際の基準位置とされる。
【００３１】
その後は、前述の実施形態と同様に、撮像素子Ｓにより撮像される画像等をモニターにより何処に片ボケ等を生じているかを確認し、最も効果的に調節できると思われるネジ３０を適宜緩めることにより、環状座金４０の弾性により基準光軸Ｌに対する撮像素子Ｓの取付角度（傾き）及び傾き方向が調節され、片ボケ状態を無くすことができる。
【００３２】
このように、３つのネジ３０を完全に締め込んで環状座金４０が平坦になった状態を基準位置として、効果的なネジ３０のみを調節する必要最小限の調節作業（アオリ調整）だけで、片ボケ現象を解消できるため、従来のような調節の際の基準位置がない場合に比べて、調節作業を筐体１０と保持部材２０とを均等に接触させ傾きを起こさずに容易に（短時間で）かつ高精度に行うことができ、又、環状突起部１７を設けたことにより、環状座金４０の組み付けを容易に行うことができる。
また、保持部材２０を筐体１０に組み付ける際に、筐体１０側の２つの位置決め突起１６を保持部材２０の２つの位置決め孔２３，２３´に嵌め込むことにより、保持部材２０（の光学要素）を筐体１０（の基準光軸Ｌ）に対して、基準光軸Ｌに垂直な平面内で容易にかつ高精度に位置決めすることができる。
【００３３】
上記の取付装置によれば、構造の簡素化、小型化等を達成しつつ、組み付けを容易に行うことができ、光学要素（撮像素子Ｓ）の傾きやその傾き方向を、筐体と光学要素とを均等に接触させ傾きを起こさずに容易に（短時間で）かつ高精度に調節することができる。
【００３４】
上記実施形態においては、筐体として複数の可動レンズ群Ｇ１，Ｇ２を含む撮像装置の筐体１０を示し、保持部材２０が固定して保持する光学要素として撮像素子Ｓを示したが、これに限定されるものではなく、図６に示すように、筐体として内部に複数のレンズを保持して基準光軸Ｌを画定するレンズ鏡筒の鏡筒１０´、鏡筒１０´の接合部１３´に取り付けられる保持部材としてレンズＧを保持したレンズ保持枠２０´、レンズ保持枠２０´を覆うようにネジＢにより鏡筒１０´に取り付けられるカバー枠５０等を備えたレンズ鏡筒において、本発明の取付装置（複数のネジ３０、複数の環状座金４０、複数の貫通孔２１、複数の雌ネジ穴１５、複数対の平面状受け部１４，２２等）を適用してもよい。
【００３５】
上記実施形態においては、弾性を有する環状座金として、皿バネ座金を採用した場合を示したが、これに限定されるものではなく、軸方向に押し付けることで平面になる弾性を有する環状座金（例えば、波形座金）を適用してもよい。
【産業上の利用可能性】
【００３６】
以上述べたように、本発明に係る光学要素の取付装置は、構造の簡素化、小型化等を達成しつつ、組み付けを容易に行うことができ、光学要素の傾きやその傾き方向を、容易に（短時間で）かつ高精度に調節することができるため、撮像素子を含むカメラ等の撮像装置、カメラのレンズ鏡筒等に適用できるのは勿論のこと、その他の光学機器においても有用である。
【符号の説明】
【００３７】
Ｌ  基準光軸
１０  筐体
１０´  鏡筒（筐体）
１１  開口部
１２  ラバーシート
１３  接合部
１４  平面状受け部
１５  雌ネジ穴
１６  位置決め突起
１７  環状突起部
２０  保持部材
Ｓ  撮像素子（光学要素）
２０´  レンズ保持枠（保持部材）
２１  貫通孔
２２  平面状受け部
２３，２３´  位置決め孔
３０  ネジ
３１  頭部
３２  雄ネジ部
４０  弾性を有する環状座金
４１  中心孔
４２  環状内縁部
４３  環状外縁部
５０  カバー枠
【図１】
2014071172.tif 000003
【図２】
2014071172.tif 000004
【図３】
2014071172.tif 000005
【図４】
2014071172.tif 000006
【図５】
2014071172.tif 000007
【図６】
2014071172.tif 000008